(57)【要約】【課題】下地材上に断熱材を配置したとき、断熱材配列平面から吊子が大きく突出しないようにして、断熱材配列平面上での作業を容易に行うことができるようにする。【解決手段】吊子４を、吊子下部構成体８と吊子上部構成体１０に分割する。下地材２上に、吊子下部構成体８を複数配列し、これらの吊子下部構成体８を下地材２に固着する。下地材２上には吊子下部構成体８の下位直立部８ｂ間に位置させて、断熱材１２が配置される。これら断熱材１２上に外囲板１４を並列状に展張し、吊子下部構成体８のフック部１０ａに吊子上部構成体１０のフック部１０ａに引っ掛けて吊子上部構成体１０を吊子下部構成体８に脱着自在且つスライド自在に結合する。断熱材１２上の互いに隣接する外囲板１４の側部は吊子上部構成体１０の吊片部１０ｃに結合される。【選択図】  図１
2005240283.tif 000002
【特許請求の範囲】
【請求項１】
下地材（２）上に、基部（８ａ）とその上に延びる下位直立部（８ｂ）と該下位直立部（８ｂ）の上端に形成されたフック部（８ｃ）とを有する金属製の吊子下部構成体（８）を複数配列し、これらの吊子下部構成体（８）の各々の基部（８ａ）を前記下地材（２）に固着し、前記下地材（２）上に前記複数の吊子下部構成体（８）の下位直立部（８ｂ）間に位置させて、前記下位直立部（８ｂ）の高さとほぼ同一の厚さを有する発泡ウレタンフォームなどの断熱材（１２）を配置し、前記断熱材（１２）上に複数の帯状の金属製外囲板を並列状に展張し、上位直立部（１０ｂ）と該上位直立部（１０ｂ）の下端に形成されたフック部（１０ａ）と該上位直立部（１０ｂ）の上端に形成された吊片部（１０ｃ）とを有する吊子上部構成体（１０）の前記フック部（１０ａ）を、前記吊子下部構成体（８）のフック部（８ｃ）に引っ掛けて前記吊子上部構成体（１０）を前記吊子下部構成体（８）に脱着自在に結合し、前記断熱材（１２）上の互いに隣接する外囲板（１４）の側部を前記吊子上部構成体（１０）の吊片部（１０ｃ）に結合し、前記吊子上位構成体（１０）のフック部（１０ａ）を前記吊子下部構成体（８）のフック部（８ｃ）に対して前記外囲板（１４）の側部に沿った方向にスライド自在としたことを特徴とする断熱屋根。
【請求項２】
前記吊子下部構成体（８）のフック部（８ｃ）を、雨水の流れる方向に延びる筒状部（８ｃ’）と、該筒状部（８ｃ’）の下部に形成された差し込み用の開口部（８ｄ）とで構成し、前記吊子上部構成体（１０）のフック部（１０ａ）を、Ｕ字状にわん曲した差し込み片（１０ａ’）とし、該差し込み片（１０ａ’）を前記開口部（８ｄ）から前記筒状部（８ｃ’）の内部に挿入可能としたことを特徴とする請求項１に記載の断熱屋根。
【発明の詳細な説明】
【技術分野】
【０００１】
本発明は、コンクリート、木材、鉄骨等の下地材上に厚板状のウレタンフォームなどの断熱材を敷き、この断熱材の上を金属製の外囲板で覆った断熱屋根に関する。
【背景技術】
【０００２】
従来、コンクリートからなる下地材に金属製の吊子を複数配列し、これら吊子の各々の基部を下地材に固着し、下地材上に、互いに対向する吊子間に位置させて、所定の厚さを有する発泡ウレタンフォームなどの断熱材を密嵌配置し、これら断熱材の上に複数の長方形の金属外囲板を並列状に展張し、隣接する外囲板の側部を吊子の頂部にはぜ締めした断熱屋根が知られている（例えば特許文献１参照）。
【特許文献１】特開平７−２５９２７４号公報（第１ページ、第１図）
【発明の開示】
【発明が解決しようとする課題】
【０００３】
吊子が並列状に配置固定された下地材上に互いに対向する吊子間に位置させて厚板状のウレタンフォームなどからなる断熱材を充填配備すると、断熱平面から多数の吊子の上部が突出する。断熱平面に被せる外囲板のはぜ締め作業を容易にするためには、吊子に所要の高さが必要とされる。あるいは、外囲板の側部の立ち上がり部が高い形状の場合には、この立ち上がり部の高さに応じた高さの吊子が使用される。このように、一般的に吊子は、断熱材の厚さよりも所定量大きな寸法を有するものが使用されるが、この場合、吊子の頂部が断熱材の並列平面から大きく突出し、屋根工事施工中に作業者が断熱平面上を歩行し難く、吊子に足を引っかけ、転んだり、また吊子を変形させてしまうことがある。  
本発明は上記問題点を解決することを目的とするものである。
また本発明の他の目的は、吊子にはぜ締めした外囲板が熱膨張によって、ひずみや音鳴りが生じるのを防止することである。
【課題を解決するための手段】
【０００４】
上記目的を達成するため本発明は、下地材（２）上に、基部（８ａ）とその上に延びる下位直立部（８ｂ）と該下位直立部（８ｂ）の上端に形成されたフック部（８ｃ）とを有する金属製の吊子下部構成体（８）を複数配列し、これらの吊子下部構成体（８）の各々の基部（８ａ）を前記下地材（２）に固着し、前記下地材（２）上に前記複数の吊子下部構成体（８）の下位直立部（８ｂ）間に位置させて、前記下位直立部（８ｂ）の高さとほぼ同一の厚さを有する発泡ウレタンフォームなどの断熱材（１２）を配置し、前記断熱材（１２）上に複数の帯状の金属製外囲板を並列状に展張し、上位直立部（１０ｂ）と該上位直立部（１０ｂ）の下端に形成されたフック部（１０ａ）と該上位直立部（１０ｂ）の上端に形成された吊片部（１０ｃ）とを有する吊子上部構成体（１０）の前記フック部（１０ａ）を、前記吊子下部構成体（８）のフック部（８ｃ）に引っ掛けて前記吊子上部構成体（１０）を前記吊子下部構成体（８）に脱着自在に結合し、前記断熱材（１２）上の互いに隣接する外囲板（１４）の側部を前記吊子上部構成体（１０）の吊片部（１０ｃ）に結合し、前記吊子上位構成体（１０）のフック部（１０ａ）を前記吊子下部構成体（８）のフック部（８ｃ）に対して前記外囲板（１４）の側部に沿った方向にスライド自在としたものである。
また本発明は、前記吊子下部構成体（８）のフック部（８ｃ）を、雨水の流れる方向に延びる筒状部（８ｃ’）と、該筒状部（８ｃ’）の下部に形成された差し込み用の開口部（８ｄ）とで構成し、前記吊子上部構成体（１０）のフック部（１０ａ）を、Ｕ字状にわん曲した差し込み片（１０ａ’）とし、該差し込み片（１０ａ’）を前記開口部（８ｄ）から前記筒状部（８ｃ’）の内部に挿入可能としたものである。
【発明の効果】
【０００５】
本発明は、吊子を上下２つに分割し、下部構成体の高さを断熱材の厚さと略同じとし、下部構成体のフック部が断熱材の配列平面から僅かに突出するようにしたので、下部構成体に上部構成体を結合する前の状態では、断熱材平面から吊子の頂部が大きく突出することがなく、該状態で行う断熱材平面上での屋根工事を安全且つ効率的に行うことができる。また、上下の部分を結合した吊子の上部に外囲板を固着しても、吊子の上部の下部に対するスライドにより、外囲板の熱膨張によるひずみを防止することができる。
【発明を実施するための最良の形態】
【０００６】
以下に本発明の実施の形態を添付した図面を参照して詳細に説明する。
符号２は屋根の下地材であり、、コンクリート、鉄骨、木材等から構成されている。下地材２の支持面には長尺状の金属板（例えばステンレス、アルミニウム、鉄）製の吊子４の基部８ａがビス等の止着子６によって、その長手方向が屋根上の雨水の流れる方向即ち図１中、紙面垂直方向に対して平行となるように固着されている。
【０００７】
前記吊子４は、中間を境として、上部と下部に分割して構成され、吊子下部構成体８は、図１中、紙面垂直方向に延びる帯状の基部８ａと、下位垂直部８ｂと、まるく屈曲された固定側フック部８ｃとから構成されている。また、吊子上部構成体１０は、Ｕ字状に屈曲されたスライド側フック部１０ａと、上位直立部１０ｂと、上位直立部１０ｂに対して直角方向に屈折された吊片部１０ｃとから構成されている。
【０００８】
前記固定側フック部８ｃは、雨水の流れる方向に延びる筒状部８ｃ’と、該筒状部８ｃ’の下部に形成された差し込み用の開口部８ｄとから構成されている。また、前記スライド側フック部１０ａは、差し込み片１０ａ’を有し、該差し込み片１０ａ’が前記開口部８ｄから前記筒状部８ｃ’の内部に挿入可能となっている。前記吊子下部構成体８は、その下位直立部８ｂの側面が、屋根面上の雨水の落下方向と平行となるように、複数、所定間隔を存して、配置されている。
【０００９】
前記互いに向き合った吊子下部構成体８の下位直立部８ｂ間に、安価な発泡ウレタンフォームなどからなる厚板状の断熱材１２が密嵌配置されている。前記下位直立部８ｂの高さと、前記断熱材１２の厚さは、略同一に設定され、互いに対向する吊子下部構成体８間に、前記断熱材１２を充填配置した状態において、吊子下部構成体８の結合部即ち固定側フック部８ｃが、断熱材１２の表面に突出する。この突出量は、本実施形態では、約１０ミリメートルという短い値に設定されている。
【００１０】
１４は、前記断熱材１２の表面に配置され屋根面を形成するためのステンレス製の長尺金属板からなる帯状に延びる外囲板であり、一側部には傾斜部１４ａと、直立部１４ｂと、該直立部１４ｂに対して内側直角方向に屈折された上位水平部１４ｃとが形成され、他側部には傾斜部１４ｄと、直立部１４ｅと、該直立部１４ｅに対して外側直角方向に屈折された上位水平部１４ｆと、該上位水平部１４ｆに直角な垂直部１４ｇとが形成されている。前記外囲板１４は複数枚用意されている。
【００１１】
前記外囲板１４を断熱材１２上に固定する場合には、下地材２に固着された吊子下部構成体８の固定側フック部８ｃに、吊子上部構成体１０のスライド側フック部１０ａを係合する。この場合は、図２に示すように、フック部１０ａの差し込み片１０ａ’を、フック部８ｃの開口部８ｄに引っ掛けるだけで良く簡単に行うことができる。次に、外囲板１４を、吊子４間に位置させて、断熱材１２の平面上に配置し、その一側部の直立部１４ｂと上位水平部１４ｃを、対応する吊子４の直立部１０ｂと吊片部１０ｃに合わせる。
【００１２】
また、外囲板１４の他側部の直立部１４ｂと上位水平部１４ｆを、対応する吊子４の直立部１０ｂと吊片部１０ｃに合わせ、垂直部１４ｇを内側に屈曲させて、図１に示すように、互いに隣接する外囲板１４，１４の側部を吊子４の吊片部１０ｃにはぜ締めし、互いに隣接する外囲板１４を、吊子４を介して下地材２に固定する。
【００１３】
上記した構成において、吊子４の、前記外囲板１４が固着された上部は、吊子４の下部構成体８の長手方向に沿ってスライド自在なため、外囲板１４が熱により伸縮しても、この伸縮は、吊子上部構成体１０の吊子下部構成体８に対するスライドにより吸収され、外囲板１４の、その長手方向の熱膨張による外囲板１４のひずみや音鳴りがなくなる。
【００１４】
また、断熱材１２を吊子４の間に落とし込んで、断熱材１２を下地材２上に配置する作業をするとき、吊子下部構成体８の頂部は、断熱材１２の表面からわずかに突出するだけなので、この施工中及び外囲板取り付け施工中の歩行も容易となり、作業効率が向上する。
【図面の簡単な説明】
【００１５】
【図１】本発明の一実施形態である断熱屋根の断面説明図である。
【図２】吊子の外観説明図である。
【図３】本発明の断面説明図である。
【符号の説明】
【００１６】
２      下地材
４      吊子
６      止着子
８      吊子下部構成体
８ａ    基部
８ｂ    下位直立部
８ｃ    固定側フック部
８ｃ’  筒状部
８ｄ    開口部
１０    吊子上部構成体
１０ａ  スライド側フック部
１０ｂ  上位垂直部
１０ｃ  吊片部
１２    断熱材
１４    外囲板
１４ａ  傾斜部
１４ｂ  垂直部
１４ｃ  上位水平部
１４ｄ  傾斜部
１４ｅ  直立部
１４ｆ  上位水平部
１４ｇ  垂直部
【図１】
2005240283.tif 000003
【図２】
2005240283.tif 000004
【図３】
2005240283.tif 000005